(57)【要約】【課題】本発明は水晶装飾品を開示した。    【解決手段】ベースを含み、前記ベースの頂端には支持ロッドが設置され、前記支持ロッドの頂端には回転できる頂ブロックが設置され、前記支持ロッドの中には光線管が設置され、前記支持ロッドの中には光線を屈折させることができる屈折器が設置され、前記ベースの中には動力チャンバが設置され、前記動力チャンバの頂壁の中には光線が発する発光器が設置され、本発明は構成が簡単で、操作が便利で、メインテナンスが便利であり、該設備が何度も光線を屈折させることができ、星空が回転している雰囲気をもたらし、設計の美観を向上させ、そのため該設備は比較的に高い使用価値と普及価値を有する。【選択図】図１
2020183099.tif 000002
【特許請求の範囲】
【請求項１】
正面視で、ベースを含み、前記ベースの頂端には支持ロッドが設置され、前記支持ロッドの頂端には回転できる頂ブロックが設置され、前記支持ロッドの中には光線管が設置され、前記支持ロッドの中には光線を屈折させることができる屈折器が設置され、前記ベースの中には動力チャンバが設置され、前記動力チャンバの頂壁の中には光線が発する発光器が設置され、前記頂ブロックの中には六組の往復チャンバが環状に配列されるように設置され、前記往復チャンバのうち前記支持ロッドから離れている片側端壁の中には内線チャンバが設置され、前記内線チャンバの中には初回に光線を屈折させることができる内吊り装置が設置され、前記往復チャンバの頂壁の中には回転チャンバが設置され、前記回転チャンバの頂壁の中にはベルトチャンバが設置され、前記内線チャンバのうち前記往復チャンバから離れている片側壁の中には転換チャンバが設置され、前記転換チャンバの頂壁の中にはスライドチャンバが設置され、前記転換チャンバのうち前記内線チャンバから離れている片側壁の中には外線チャンバが設置され、前記外線チャンバの中には光線を二次屈折させることができる外吊り装置が設置され、前記ベルトチャンバの中には前記外吊り装置と前記内吊り装置とを駆動して回転させ、更に前記外吊り装置と前記内吊り装置とを連動させて上下にスライドさせる伝動装置が設置され、前記動力チャンバの中には前記頂ブロックを回転させる回転装置が設置され、前記動力チャンバの中には動力を生み出す駆動装置が設置されていることを特徴とする水晶装飾品。
【請求項２】
前記駆動装置は前記動力チャンバの中に設置された動力軸を含み、前記動力軸の頂端が前記動力チャンバの頂壁の中に固定的に設置された回転モータと動力が伝達できるように連結され、前記動力軸の底端には前記動力チャンバの中に位置している動力ギヤが設置され、前記回転装置は前記動力チャンバの中に設置された回転ブロックを含み、前記回転ブロックの外壁には前記動力ギヤと噛み合っている大ギヤが設置され、前記回転ブロックの頂端には下環状磁石が設置され、前記頂ブロックの底端には上環状磁石が設置されていることを特徴とする請求項１に記載の水晶装飾品。
【請求項３】
前記伝動装置は前記支持ロッドの頂端に設置された主動ギヤを含み、前記回転チャンバの中には伝動軸が設置され、前記伝動軸の外壁には前記主動ギヤと噛み合っている従動ギヤが設置され、前記伝動軸の底端には前記往復チャンバの中に位置しているセクタベベルギヤが設置され、前記伝動軸の頂端には前記ベルトチャンバの中に位置している主動プーリが設置され、前記ベルトチャンバの中には主動軸が設置され、前記主動軸の頂端には前記ベルトチャンバの中に位置している従動プーリが設置され、前記従動プーリと前記主動プーリとの間には伝動ベルトが伝動できるように設置され、前記主動軸の底端には回転盤が設置されていることを特徴とする請求項２に記載の水晶装飾品。
【請求項４】
前記内吊り装置は前記往復チャンバの中に設置された内軸を含み、前記内軸のうち前記内線チャンバに近接している一端には前記内線チャンバの中に位置している内リールが設置され、前記内リールには内ひもが巻き付くように設置され、前記内ひもの底端には三組の内菱形水晶が設置され、前記内軸の外壁には前記往復チャンバの中に位置しており、且つ前記セクタベベルギヤと噛み合っている順方向ベベルギヤが設置され、前記順方向ベベルギヤが前記内軸を連動させて順方向へ回転させ、更に前記内菱形水晶を連動させて上方へスライドさせ、前記内軸のうち前記内線チャンバから離れている一端には前記往復チャンバの中に位置しており、且つ前記セクタベベルギヤと噛み合うことができる逆方向ベベルギヤが設置されていることを特徴とする請求項１に記載の水晶装飾品。
【請求項５】
前記外吊り装置は前記転換チャンバの中に設置された外軸を含み、前記外軸のうち前記転換チャンバから離れている一端には前記外線チャンバの中に位置している外リールが設置され、前記外リールの外壁には外ひもが巻き付くように設置され、前記外ひもの底端には三組の外菱形水晶が設置され、前記外軸のうち前記外線チャンバから離れている一端には前記転換チャンバの中に位置している従動ベベルギヤが設置され、前記転換チャンバの中には従動軸が設置され、前記従動軸の底端には前記転換チャンバの中に位置しており、且つ前記従動ベベルギヤと噛み合っている主動ベベルギヤが設置され、前記従動軸の頂端には前記スライドチャンバの中に位置している往復ギヤが設置され、前記スライドチャンバの中には前記往復ギヤと噛み合っているスライドできる往復ラックが設置され、前記往復ラックと前記回転盤の底側端壁との間は前記コンロッドを通じてヒンジにより連結されていることを特徴とする請求項１に記載の水晶装飾品。
【発明の詳細な説明】
【技術分野】
【０００１】
本発明は家具装飾技術分野を取り上げて、具体的には水晶装飾品である。
【背景技術】
【０００２】
社会の発展につれ、人々が部屋の内装工事に対する要求が高まり、水晶装飾品の材質が透徹して多くの人に好まれており、しかし、構成が簡単すぎ、設計が単調であり、美観性が高くなく、日常の要求を満たすことができなく、そのため、本発明は構成が斬新であり、もっときれいな水晶装飾品を設計することを目的とする。
【先行技術文献】
【特許文献】
【０００３】
【特許文献１】中国特許出願公開第107718997号明細書
【発明の概要】
【発明が解決しようとする課題】
【０００４】
本発明は水晶装飾品を提供し、従来技術における上記欠点を解消することを目的とする。
【課題を解決するための手段】
【０００５】
本発明の水晶装飾品は、ベースを含み、前記ベースの頂端には支持ロッドが設置され、前記支持ロッドの頂端には回転できる頂ブロックが設置され、前記支持ロッドの中には光線管が設置され、前記支持ロッドの中には光線を屈折させることができる屈折器が設置され、前記ベースの中には動力チャンバが設置され、前記動力チャンバの頂壁の中には光線が発する発光器が設置され、前記頂ブロックの中には六組の往復チャンバが環状に配列されるように設置され、前記往復チャンバのうち前記支持ロッドから離れている片側端壁の中には内線チャンバが設置され、前記内線チャンバの中には初回に光線を屈折させることができる内吊り装置が設置され、前記往復チャンバの頂壁の中には回転チャンバが設置され、前記回転チャンバの頂壁の中にはベルトチャンバが設置され、前記内線チャンバのうち前記往復チャンバから離れている片側壁の中には転換チャンバが設置され、前記転換チャンバの頂壁の中にはスライドチャンバが設置され、前記転換チャンバのうち前記内線チャンバから離れている片側壁の中には外線チャンバが設置され、前記外線チャンバの中には光線を二次屈折させることができる外吊り装置が設置され、前記ベルトチャンバの中には前記外吊り装置と前記内吊り装置とを駆動して回転させ、更に前記外吊り装置と前記内吊り装置とを連動させて上下にスライドさせる伝動装置が設置され、前記動力チャンバの中には前記頂ブロックを回転させる回転装置が設置され、前記動力チャンバの中には動力を生み出す駆動装置が設置されている。
【０００６】
好ましくは、前記駆動装置は前記動力チャンバの中に設置された動力軸を含み、前記動力軸の頂端が前記動力チャンバの頂壁の中に固定的に設置された回転モータと動力が伝達できるように連結され、前記動力軸の底端には前記動力チャンバの中に位置している動力ギヤが設置され、前記回転装置は前記動力チャンバの中に設置された回転ブロックを含み、前記回転ブロックの外壁には前記動力ギヤと噛み合っている大ギヤが設置され、前記回転ブロックの頂端には下環状磁石が設置され、前記頂ブロックの底端には上環状磁石が設置され、前記回転ブロックが回転して前記下環状磁石を連動させて回転させ、更に磁力の作用のもとで頂ブロックを連動させて回転させる。
【０００７】
好ましくは、前記伝動装置は前記支持ロッドの頂端に設置された主動ギヤを含み、前記回転チャンバの中には伝動軸が設置され、前記伝動軸の外壁には前記主動ギヤと噛み合っている従動ギヤが設置され、前記伝動軸の底端には前記往復チャンバの中に位置しているセクタベベルギヤが設置され、前記伝動軸の頂端には前記ベルトチャンバの中に位置している主動プーリが設置され、前記ベルトチャンバの中には主動軸が設置され、前記主動軸の頂端には前記ベルトチャンバの中に位置している従動プーリが設置され、前記従動プーリと前記主動プーリとの間には伝動ベルトが伝動できるように設置され、前記主動軸の底端には回転盤が設置され、前記伝動装置は動力を前記内吊り装置と前記外吊り装置の中まで送ることができる。
【０００８】
好ましくは、前記内吊り装置は前記往復チャンバの中に設置された内軸を含み、前記内軸のうち前記内線チャンバに近接している一端には前記内線チャンバの中に位置している内リールが設置され、前記内リールには内ひもが巻き付くように設置され、前記内ひもの底端には三組の内菱形水晶が設置され、前記内軸の外壁には前記往復チャンバの中に位置しており、且つ前記セクタベベルギヤと噛み合っている順方向ベベルギヤが設置され、前記順方向ベベルギヤが前記内軸を連動させて順方向へ回転させ、更に前記内菱形水晶を連動させて上方へスライドさせ、前記内軸のうち前記内線チャンバから離れている一端には前記往復チャンバの中に位置しており、且つ前記セクタベベルギヤと噛み合うことができる逆方向ベベルギヤが設置され、前記逆方向ベベルギヤが前記内軸を連動させて逆方向へ回転させることができ、更に前記内菱形水晶を連動させて下方へスライドさせる。
【０００９】
好ましくは、前記外吊り装置は前記転換チャンバの中に設置された外軸を含み、前記外軸のうち前記転換チャンバから離れている一端には前記外線チャンバの中に位置している外リールが設置され、前記外リールの外壁には外ひもが巻き付くように設置され、前記外ひもの底端には三組の外菱形水晶が設置され、前記外軸のうち前記外線チャンバから離れている一端には前記転換チャンバの中に位置している従動ベベルギヤが設置され、前記転換チャンバの中には従動軸が設置され、前記従動軸の底端には前記転換チャンバの中に位置しており、且つ前記従動ベベルギヤと噛み合っている主動ベベルギヤが設置され、前記従動軸の頂端には前記スライドチャンバの中に位置している往復ギヤが設置され、前記スライドチャンバの中には前記往復ギヤと噛み合っているスライドできる往復ラックが設置され、前記往復ラックと前記回転盤の底側端壁との間は前記コンロッドを通じてヒンジにより連結され、前記回転盤が前記コンロッドにより前記往復ギヤを連動させて往復回転させ、更に前記外リールを連動させて往復回転させ、更に前記外菱形水晶を連動させて上下にスライドさせる。
【発明の効果】
【００１０】
本発明の有益効果は：本発明は構成が簡単で、操作が便利で、メインテナンスが便利であり、該設備が何度も光線を屈折させることができ、星空が回転している雰囲気をもたらし、設計の美観を向上させ、そのため該設備は比較的に高い使用価値と普及価値を有する。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の水晶装飾品の全体構成模式図
【図２】図２は図１の中のＡの構成模式図
【図３】図３は図１の中のＢ―Ｂの構成模式図
【発明を実施するための形態】
【００１３】
本発明は水晶装飾品を取り上げて、主に家庭の飾りに応用し、下記に本発明の附図を交えて本発明を更に詳しく説明する。    
【００１４】
図１〜３を参照し、本発明の水晶装飾品は、ベース２１を含み、前記ベース２１の頂端には支持ロッド５６が設置され、前記支持ロッド５６の頂端には回転できる頂ブロック１１が設置され、前記支持ロッド５６の中には光線管１７が設置され、前記支持ロッド５６の中には光線を屈折させることができる屈折器１６が設置され、前記ベース２１の中には動力チャンバ２５が設置され、前記動力チャンバ２５の頂壁の中には光線が発する発光器１８が設置され、前記頂ブロック１１の中には六組の往復チャンバ５２が環状に配列されるように設置され、前記往復チャンバ５２のうち前記支持ロッド５６から離れている片側端壁の中には内線チャンバ４５が設置され、前記内線チャンバ４５の中には初回に光線を屈折させることができる内吊り装置１００が設置され、前記往復チャンバ５２の頂壁の中には回転チャンバ５０が設置され、前記回転チャンバ５０の頂壁の中にはベルトチャンバ４２が設置され、前記内線チャンバ４５のうち前記往復チャンバ５２から離れている片側壁の中には転換チャンバ３２が設置され、前記転換チャンバ３２の頂壁の中にはスライドチャンバ３４が設置され、前記転換チャンバ３２のうち前記内線チャンバ４５から離れている片側壁の中には外線チャンバ２８が設置され、前記外線チャンバ２８の中には光線を二次屈折させることができる外吊り装置２００が設置され、前記ベルトチャンバ４２の中には前記外吊り装置２００と前記内吊り装置１００とを駆動して回転させ、更に前記外吊り装置２００と前記内吊り装置１００とを連動させて上下にスライドさせる伝動装置３００が設置され、前記動力チャンバ２５の中には前記頂ブロック１１を回転させる回転装置４００が設置され、前記動力チャンバ２５の中には動力を生み出す駆動装置５００が設置されている。    
【００１５】
実施例によって、下記に前記駆動装置５００を更に詳しく説明し、前記駆動装置５００は前記動力チャンバ２５の中に設置された動力軸２４を含み、前記動力軸２４の頂端が前記動力チャンバ２５の頂壁の中に固定的に設置された回転モータ２３と動力が伝達できるように連結され、前記動力軸２４の底端には前記動力チャンバ２５の中に位置している動力ギヤ２６が設置され、前記回転装置４００は前記動力チャンバ２５の中に設置された回転ブロック２０を含み、前記回転ブロック２０の外壁には前記動力ギヤ２６と噛み合っている大ギヤ２７が設置され、前記回転ブロック２０の頂端には下環状磁石１９が設置され、前記頂ブロック１１の底端には上環状磁石２２が設置され、前記回転ブロック２０が回転して前記下環状磁石１９を連動させて回転させ、更に磁力の作用のもとで頂ブロック１１を連動させて回転させる。
【００１６】
実施例によって、下記に前記伝動装置３００を更に詳しく説明し、前記伝動装置３００は前記支持ロッド５６の頂端に設置された主動ギヤ４９を含み、前記回転チャンバ５０の中には伝動軸４７が設置され、前記伝動軸４７の外壁には前記主動ギヤ４９と噛み合っている従動ギヤ４８が設置され、前記伝動軸４７の底端には前記往復チャンバ５２の中に位置しているセクタベベルギヤ５４が設置され、前記伝動軸４７の頂端には前記ベルトチャンバ４２の中に位置している主動プーリ４６が設置され、前記ベルトチャンバ４２の中には主動軸４０が設置され、前記主動軸４０の頂端には前記ベルトチャンバ４２の中に位置している従動プーリ４１が設置され、前記従動プーリ４１と前記主動プーリ４６との間には伝動ベルト４３が伝動できるように設置され、前記主動軸４０の底端には回転盤３９が設置され、前記伝動装置３００は動力を前記内吊り装置１００と前記外吊り装置２００の中まで送ることができる。
【００１７】
実施例によって、下記に前記内吊り装置１００を更に詳しく説明し、前記内吊り装置１００は前記往復チャンバ５２の中に設置された内軸５３を含み、前記内軸５３のうち前記内線チャンバ４５に近接している一端には前記内線チャンバ４５の中に位置している内リール４４が設置され、前記内リール４４には内ひも１４が巻き付くように設置され、前記内ひも１４の底端には三組の内菱形水晶１５が設置され、前記内軸５３の外壁には前記往復チャンバ５２の中に位置しており、且つ前記セクタベベルギヤ５４と噛み合っている順方向ベベルギヤ５５が設置され、前記順方向ベベルギヤ５５が前記内軸５３を連動させて順方向へ回転させ、更に前記内菱形水晶１５を連動させて上方へスライドさせ、前記内軸５３のうち前記内線チャンバ４５から離れている一端には前記往復チャンバ５２の中に位置しており、且つ前記セクタベベルギヤ５４と噛み合うことができる逆方向ベベルギヤ５１が設置され、前記逆方向ベベルギヤ５１が前記内軸５３を連動させて逆方向へ回転させることができ、更に前記内菱形水晶１５を連動させて下方へスライドさせる。
【００１８】
実施例によって、下記に前記外吊り装置２００を更に詳しく説明し、前記外吊り装置２００は前記転換チャンバ３２の中に設置された外軸３０を含み、前記外軸３０のうち前記転換チャンバ３２から離れている一端には前記外線チャンバ２８の中に位置している外リール２９が設置され、前記外リール２９の外壁には外ひも１２が巻き付くように設置され、前記外ひも１２の底端には三組の外菱形水晶１３が設置され、前記外軸３０のうち前記外線チャンバ２８から離れている一端には前記転換チャンバ３２の中に位置している従動ベベルギヤ３１が設置され、前記転換チャンバ３２の中には従動軸３５が設置され、前記従動軸３５の底端には前記転換チャンバ３２の中に位置しており、且つ前記従動ベベルギヤ３１と噛み合っている主動ベベルギヤ３３が設置され、前記従動軸３５の頂端には前記スライドチャンバ３４の中に位置している往復ギヤ３６が設置され、前記スライドチャンバ３４の中には前記往復ギヤ３６と噛み合っているスライドできる往復ラック３７が設置され、前記往復ラック３７と前記回転盤３９の底側端壁との間は前記コンロッド３８を通じてヒンジにより連結され、前記回転盤３９が前記コンロッド３８により前記往復ギヤ３６を連動させて往復回転させ、更に前記外リール２９を連動させて往復回転させ、更に前記外菱形水晶１３を連動させて上下にスライドさせる。
【００１９】
初期状態において、外菱形水晶１３が最大限に上側に位置しており、内菱形水晶１５が最大限に下側に位置している。
【００２０】
該設備を使用する時、回転モータ２３が作動し始めて且つ動力軸２４により動力ギヤ２６を連動させて回転させ、更に大ギヤ２７と回転ブロック２０とにより下環状磁石１９を連動させて回転させ、更に上環状磁石２２により頂ブロック１１を連動させて回転させ、更に主動ギヤ４９が従動ギヤ４８と伝動軸４７とによりセクタベベルギヤ５４と主動プーリ４６とを連動させて回転させ、更に主動プーリ４６と、従動プーリ４１と、主動軸４０とにより回転盤３９を連動させて回転させ、セクタベベルギヤ５４が順方向ベベルギヤ５５又は逆方向ベベルギヤ５１と、内軸５３と、内リール４４と、内ひも１４とにより内菱形水晶１５を連動させて上下にスライドさせ、同時に、回転盤３９がコンロッド３８により往復ラック３７を連動させて左右にスライドさせ、更に往復ギヤ３６と、スライドチャンバ３４と、主動ベベルギヤ３３と、従動ベベルギヤ３１と、外軸３０と、外リール２９と、外ひも１２とにより外菱形水晶１３を連動させて上下にスライドさせ、同時に、発光器１８が通電して発光し、光線が光線管１７により屈折器１６の中に入り、屈折器１６が光線を屈折させ、また内菱形水晶１５と外菱形水晶１３に射させ、再び光線を屈折させる。
【００２１】
本発明の有益効果は：本発明は構成が簡単で、操作が便利で、メインテナンスが便利であり、該設備が何度も光線を屈折させることができ、星空が回転している雰囲気をもたらし、設計の美観を向上させ、そのため該設備は比較的に高い使用価値と普及価値を有する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020183099.tif 000003
【図２】
2020183099.tif 000004
【図３】
2020183099.tif 000005
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの頂端には支持ロッドが設置され、前記支持ロッドの頂端には回転できる頂ブロックが設置され、前記支持ロッドの中には光線管が設置され、前記支持ロッドには光線を屈折させることができる屈折器が設置され、前記ベースの中には動力チャンバが設置され、前記動力チャンバの頂壁には光線を発する発光器が設置され、前記頂ブロックの中には六組の往復チャンバが環状に配列されるように設置され、前記往復チャンバのうち前記支持ロッドから離れている片側端壁の中には内線チャンバが設置され、前記内線チャンバの中には内吊り装置が設置され、前記往復チャンバの頂壁の中には回転チャンバが設置され、前記回転チャンバの頂壁の中にはベルトチャンバが設置され、前記内線チャンバのうち前記往復チャンバから離れている片側壁の中には転換チャンバが設置され、前記転換チャンバの頂壁の中にはスライドチャンバが設置され、前記転換チャンバのうち前記内線チャンバから離れている片側壁の中には外線チャンバが設置され、前記外線チャンバの中には外吊り装置が設置され、前記ベルトチャンバの中には、前記外吊り装置と前記内吊り装置とを駆動して回転させることにより、前記外吊り装置と前記内吊り装置とを連動させて上下にスライドさせる伝動装置が設置され、前記動力チャンバの中には前記頂ブロックを回転させる回転装置が設置され、前記動力チャンバの中には動力を生み出す駆動装置が設置されていることを特徴とする水晶装飾品。
【請求項２】
前記駆動装置は前記動力チャンバの中に設置された動力軸を含み、前記動力軸の頂端が前記動力チャンバの頂壁の中に固定的に設置された回転モータと動力が伝達できるように連結され、前記動力軸の底端には前記動力チャンバの中に位置している動力ギヤが設置され、前記回転装置は前記動力チャンバの中に設置された回転ブロックを含み、前記回転ブロックの外壁には前記動力ギヤと噛み合っている大ギヤが設置され、前記回転ブロックの頂端には下環状磁石が設置され、前記頂ブロックの底端には上環状磁石が設置されていることを特徴とする請求項１に記載の水晶装飾品。
【請求項３】
前記伝動装置は前記支持ロッドの頂端に設置された主動ギヤを含み、前記回転チャンバの中には伝動軸が設置され、前記伝動軸の外壁には前記主動ギヤと噛み合っている従動ギヤが設置され、前記伝動軸の底端には前記往復チャンバの中に位置しているセクタベベルギヤが設置され、前記伝動軸の頂端には前記ベルトチャンバの中に位置している主動プーリが設置され、前記ベルトチャンバの中には主動軸が設置され、前記主動軸の頂端には前記ベルトチャンバの中に位置している従動プーリが設置され、前記従動プーリと前記主動プーリとの間には伝動ベルトが伝動できるように設置され、前記主動軸の底端には回転盤が設置されていることを特徴とする請求項２に記載の水晶装飾品。
【請求項４】
前記内吊り装置は前記往復チャンバの中に設置された内軸を含み、前記内軸のうち前記内線チャンバに近接している一端には前記内線チャンバの中に位置している内リールが設置され、前記内リールには内ひもが巻き付くように設置され、前記内ひもの底端には三組の内菱形水晶が設置され、前記内軸の外壁には、前記往復チャンバの中に位置しており、且つ前記セクタベベルギヤと噛み合っている順方向ベベルギヤが設置され、前記順方向ベベルギヤが前記内軸を連動させて順方向へ回転させ、前記内軸のうち前記内線チャンバから離れている一端には、前記往復チャンバの中に位置しており、且つ前記セクタベベルギヤと噛み合うことができる逆方向ベベルギヤが設置され、前記逆方向ベベルギヤが前記内軸を連動させて逆方向へ回転させ、前記順方向ベベルギヤと前記逆方向ベベルギヤとは、前記セクタベベルギヤと間欠的に交互に噛み合うことにより、前記内菱形水晶を連動させて上下へスライドさせることを特徴とする請求項３に記載の水晶装飾品。
【請求項５】
前記外吊り装置は前記転換チャンバの中に設置された外軸を含み、前記外軸のうち前記転換チャンバから離れている一端には、前記外線チャンバの中に位置している外リールが設置され、前記外リールには外ひもが巻き付くように設置され、前記外ひもの底端には三組の外菱形水晶が設置され、前記外軸のうち前記外線チャンバから離れている一端には、前記転換チャンバの中に位置している従動ベベルギヤが設置され、前記転換チャンバの中には従動軸が設置され、前記従動軸の底端には、前記転換チャンバの中に位置しており、且つ前記従動ベベルギヤと噛み合っている主動ベベルギヤが設置され、前記従動軸の頂端には、前記スライドチャンバの中に位置している往復ギヤが設置され、前記スライドチャンバの中には、前記往復ギヤと噛み合っているスライドできる往復ラックが設置され、前記往復ラックと前記回転盤の底側端壁との間はコンロッドを通じてヒンジにより連結されていることを特徴とする請求項３に記載の水晶装飾品。
【手続補正２】
【補正対象書類名】明細書
【補正対象項目名】全文
【補正方法】変更
【補正の内容】
【発明の詳細な説明】
【技術分野】
【０００１】
本発明は家具装飾技術分野を取り上げて、具体的には水晶装飾品である。
【背景技術】
【０００２】
社会の発展につれ、人々が部屋の内装工事に対する要求が高まり、水晶装飾品の材質が透徹して多くの人に好まれており、しかし、構成が簡単すぎ、設計が単調であり、美観性が高くなく、日常の要求を満たすことができなく、そのため、本発明は構成が斬新であり、もっときれいな水晶装飾品を設計することを目的とする。
【先行技術文献】
【特許文献】
【０００３】
【特許文献１】中国特許出願公開第107718997号明細書
【発明の概要】
【発明が解決しようとする課題】
【０００４】
本発明は水晶装飾品を提供し、従来技術における上記欠点を解消することを目的とする。
【課題を解決するための手段】
【０００５】
本発明の水晶装飾品は、ベースを含み、前記ベースの頂端には支持ロッドが設置され、前記支持ロッドの頂端には回転できる頂ブロックが設置され、前記支持ロッドの中には光線管が設置され、前記支持ロッドには光線を屈折させることができる屈折器が設置され、前記ベースの中には動力チャンバが設置され、前記動力チャンバの頂壁には光線を発する発光器が設置され、前記頂ブロックの中には六組の往復チャンバが環状に配列されるように設置され、前記往復チャンバのうち前記支持ロッドから離れている片側端壁の中には内線チャンバが設置され、前記内線チャンバの中には内吊り装置が設置され、前記往復チャンバの頂壁の中には回転チャンバが設置され、前記回転チャンバの頂壁の中にはベルトチャンバが設置され、前記内線チャンバのうち前記往復チャンバから離れている片側壁の中には転換チャンバが設置され、前記転換チャンバの頂壁の中にはスライドチャンバが設置され、前記転換チャンバのうち前記内線チャンバから離れている片側壁の中には外線チャンバが設置され、前記外線チャンバの中には外吊り装置が設置され、前記ベルトチャンバの中には、前記外吊り装置と前記内吊り装置とを駆動して回転させることにより、前記外吊り装置と前記内吊り装置とを連動させて上下にスライドさせる伝動装置が設置され、前記動力チャンバの中には前記頂ブロックを回転させる回転装置が設置され、前記動力チャンバの中には動力を生み出す駆動装置が設置されている。
【０００６】
好ましくは、前記駆動装置は前記動力チャンバの中に設置された動力軸を含み、前記動力軸の頂端が前記動力チャンバの頂壁の中に固定的に設置された回転モータと動力が伝達できるように連結され、前記動力軸の底端には前記動力チャンバの中に位置している動力ギヤが設置され、前記回転装置は前記動力チャンバの中に設置された回転ブロックを含み、前記回転ブロックの外壁には前記動力ギヤと噛み合っている大ギヤが設置され、前記回転ブロックの頂端には下環状磁石が設置され、前記頂ブロックの底端には上環状磁石が設置され、前記回転ブロックが回転して前記下環状磁石を連動させて回転させ、更に磁力の作用のもとで頂ブロックを連動させて回転させる。
【０００７】
好ましくは、前記伝動装置は前記支持ロッドの頂端に設置された主動ギヤを含み、前記回転チャンバの中には伝動軸が設置され、前記伝動軸の外壁には前記主動ギヤと噛み合っている従動ギヤが設置され、前記伝動軸の底端には前記往復チャンバの中に位置しているセクタベベルギヤが設置され、前記伝動軸の頂端には前記ベルトチャンバの中に位置している主動プーリが設置され、前記ベルトチャンバの中には主動軸が設置され、前記主動軸の頂端には前記ベルトチャンバの中に位置している従動プーリが設置され、前記従動プーリと前記主動プーリとの間には伝動ベルトが伝動できるように設置され、前記主動軸の底端には回転盤が設置され、前記伝動装置は動力を前記内吊り装置と前記外吊り装置の中まで送ることができる。
【０００８】
好ましくは、前記内吊り装置は前記往復チャンバの中に設置された内軸を含み、前記内軸のうち前記内線チャンバに近接している一端には前記内線チャンバの中に位置している内リールが設置され、前記内リールには内ひもが巻き付くように設置され、前記内ひもの底端には三組の内菱形水晶が設置され、前記内軸の外壁には、前記往復チャンバの中に位置しており、且つ前記セクタベベルギヤと噛み合っている順方向ベベルギヤが設置され、前記順方向ベベルギヤが前記内軸を連動させて順方向へ回転させ、更に前記内菱形水晶を連動させて上方へスライドさせ、前記内軸のうち前記内線チャンバから離れている一端には、前記往復チャンバの中に位置しており、且つ前記セクタベベルギヤと噛み合うことができる逆方向ベベルギヤが設置され、前記逆方向ベベルギヤが前記内軸を連動させて逆方向へ回転させ、前記順方向ベベルギヤと前記逆方向ベベルギヤとは、前記セクタベベルギヤと間欠的に交互に噛み合うことができ、更に前記内菱形水晶を連動させて下方へスライドさせる。
【０００９】
好ましくは、前記外吊り装置は前記転換チャンバの中に設置された外軸を含み、前記外軸のうち前記転換チャンバから離れている一端には、前記外線チャンバの中に位置している外リールが設置され、前記外リールの外壁には外ひもが巻き付くように設置され、前記外ひもの底端には三組の外菱形水晶が設置され、前記外軸のうち前記外線チャンバから離れている一端には前記転換チャンバの中に位置している従動ベベルギヤが設置され、前記転換チャンバの中には従動軸が設置され、前記従動軸の底端には、前記転換チャンバの中に位置しており、且つ前記従動ベベルギヤと噛み合っている主動ベベルギヤが設置され、前記従動軸の頂端には、前記スライドチャンバの中に位置している往復ギヤが設置され、前記スライドチャンバの中には、前記往復ギヤと噛み合っているスライドできる往復ラックが設置され、前記往復ラックと前記回転盤の底側端壁との間は前記コンロッドを通じてヒンジにより連結され、前記回転盤が前記コンロッドにより前記往復ギヤを連動させて往復回転させ、更に前記外リールを連動させて往復回転させ、更に前記外菱形水晶を連動させて上下にスライドさせる。
【発明の効果】
【００１０】
本発明の有益効果は：本発明は構成が簡単で、操作が便利で、メインテナンスが便利であり、該設備が何度も光線を屈折させることができ、星空が回転している雰囲気をもたらし、設計の美観を向上させ、そのため該設備は比較的に高い使用価値と普及価値を有する。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の水晶装飾品の全体構成模式図
【図２】図２は図１の中のＡの構成模式図
【図３】図３は図１の中のＢ―Ｂの構成模式図
【発明を実施するための形態】
【００１３】
本発明は水晶装飾品を取り上げて、主に家庭の飾りに応用し、下記に本発明の附図を交えて本発明を更に詳しく説明する。
【００１４】
図１〜３を参照し、本発明の水晶装飾品は、ベース２１を含み、前記ベース２１の頂端には支持ロッド５６が設置され、前記支持ロッド５６の頂端には回転できる頂ブロック１１が設置され、前記支持ロッド５６の中には光線管１７が設置され、前記支持ロッド５６の中には光線を屈折させることができる屈折器１６が設置され、前記ベース２１の中には動力チャンバ２５が設置され、前記動力チャンバ２５の頂壁の中には光線が発する発光器１８が設置され、前記頂ブロック１１の中には六組の往復チャンバ５２が環状に配列されるように設置され、前記往復チャンバ５２のうち前記支持ロッド５６から離れている片側端壁の中には内線チャンバ４５が設置され、前記内線チャンバ４５の中には初回に光線を屈折させることができる内吊り装置１００が設置され、前記往復チャンバ５２の頂壁の中には回転チャンバ５０が設置され、前記回転チャンバ５０の頂壁の中にはベルトチャンバ４２が設置され、前記内線チャンバ４５のうち前記往復チャンバ５２から離れている片側壁の中には転換チャンバ３２が設置され、前記転換チャンバ３２の頂壁の中にはスライドチャンバ３４が設置され、前記転換チャンバ３２のうち前記内線チャンバ４５から離れている片側壁の中には外線チャンバ２８が設置され、前記外線チャンバ２８の中には光線を二次屈折させることができる外吊り装置２００が設置され、前記ベルトチャンバ４２の中には、前記外吊り装置２００と前記内吊り装置１００とを駆動して回転させることにより、前記外吊り装置２００と前記内吊り装置１００とを連動させて上下にスライドさせる伝動装置３００が設置され、前記動力チャンバ２５の中には前記頂ブロック１１を回転させる回転装置４００が設置され、前記動力チャンバ２５の中には動力を生み出す駆動装置５００が設置されている。
【００１５】
実施例として、下記に前記駆動装置５００を更に詳しく説明する。前記駆動装置５００は前記動力チャンバ２５の中に設置された動力軸２４を含み、前記動力軸２４の頂端が前記動力チャンバ２５の頂壁の中に固定的に設置された回転モータ２３と動力が伝達できるように連結され、前記動力軸２４の底端には前記動力チャンバ２５の中に位置している動力ギヤ２６が設置され、前記回転装置４００は前記動力チャンバ２５の中に設置された回転ブロック２０を含み、前記回転ブロック２０の外壁には前記動力ギヤ２６と噛み合っている大ギヤ２７が設置され、前記回転ブロック２０の頂端には下環状磁石１９が設置され、前記頂ブロック１１の底端には上環状磁石２２が設置され、前記回転ブロック２０が回転して前記下環状磁石１９を連動させて回転させ、更に磁力の作用のもとで頂ブロック１１を連動させて回転させる。
【００１６】
実施例として、下記に前記伝動装置３００を更に詳しく説明する。前記伝動装置３００は前記支持ロッド５６の頂端に設置された主動ギヤ４９を含み、前記回転チャンバ５０の中には伝動軸４７が設置され、前記伝動軸４７の外壁には前記主動ギヤ４９と噛み合っている従動ギヤ４８が設置され、前記伝動軸４７の底端には前記往復チャンバ５２の中に位置しているセクタベベルギヤ５４が設置され、前記伝動軸４７の頂端には前記ベルトチャンバ４２の中に位置している主動プーリ４６が設置され、前記ベルトチャンバ４２の中には主動軸４０が設置され、前記主動軸４０の頂端には前記ベルトチャンバ４２の中に位置している従動プーリ４１が設置され、前記従動プーリ４１と前記主動プーリ４６との間には伝動ベルト４３が伝動できるように設置され、前記主動軸４０の底端には回転盤３９が設置され、前記伝動装置３００は動力を前記内吊り装置１００と前記外吊り装置２００とに送ることができる。
【００１７】
実施例として、下記に前記内吊り装置１００を更に詳しく説明する。前記内吊り装置１００は前記往復チャンバ５２の中に設置された内軸５３を含み、前記内軸５３のうち前記内線チャンバ４５に近接している一端には前記内線チャンバ４５の中に位置している内リール４４が設置され、前記内リール４４には内ひも１４が巻き付くように設置され、前記内ひも１４の底端には三組の内菱形水晶１５が設置され、前記内軸５３の外壁には、前記往復チャンバ５２の中に位置しており、且つ前記セクタベベルギヤ５４と噛み合っている順方向ベベルギヤ５５が設置され、前記順方向ベベルギヤ５５が前記内軸５３を連動させて順方向へ回転させ、更に前記内菱形水晶１５を連動させて上方へスライドさせ、前記内軸５３のうち前記内線チャンバ４５から離れている一端には、前記往復チャンバ５２の中に位置しており、且つ前記セクタベベルギヤ５４と噛み合うことができる逆方向ベベルギヤ５１が設置され、前記逆方向ベベルギヤ５１が前記内軸５３を連動させて逆方向へ回転させ、前記順方向ベベルギヤ５５と前記逆方向ベベルギヤ５１とは、前記セクタベベルギヤ５４と間欠的に交互に噛み合うことができ、更に前記内菱形水晶１５を連動させて下方へスライドさせる。
【００１８】
実施例として、下記に前記外吊り装置２００を更に詳しく説明する。前記外吊り装置２００は前記転換チャンバ３２の中に設置された外軸３０を含み、前記外軸３０のうち前記転換チャンバ３２から離れている一端には、前記外線チャンバ２８の中に位置している外リール２９が設置され、前記外リール２９の外壁には外ひも１２が巻き付くように設置され、前記外ひも１２の底端には三組の外菱形水晶１３が設置され、前記外軸３０のうち前記外線チャンバ２８から離れている一端には、前記転換チャンバ３２の中に位置している従動ベベルギヤ３１が設置され、前記転換チャンバ３２の中には従動軸３５が設置され、前記従動軸３５の底端には、前記転換チャンバ３２の中に位置しており、且つ前記従動ベベルギヤ３１と噛み合っている主動ベベルギヤ３３が設置され、前記従動軸３５の頂端には、前記スライドチャンバ３４の中に位置している往復ギヤ３６が設置され、前記スライドチャンバ３４の中には、前記往復ギヤ３６と噛み合っているスライドできる往復ラック３７が設置され、前記往復ラック３７と前記回転盤３９の底側端壁との間はコンロッド３８を通じてヒンジにより連結され、前記回転盤３９が前記コンロッド３８により前記往復ギヤ３６を連動させて往復回転させ、更に前記外リール２９を連動させて往復回転させ、更に前記外菱形水晶１３を連動させて上下にスライドさせる。
【００１９】
初期状態において、外菱形水晶１３が最大限に上側に位置しており、内菱形水晶１５が最大限に下側に位置している。
【００２０】
該設備を使用する時、回転モータ２３が作動し始めて且つ動力軸２４により動力ギヤ２６を連動させて回転させ、更に大ギヤ２７と回転ブロック２０とにより下環状磁石１９を連動させて回転させ、更に上環状磁石２２により頂ブロック１１を連動させて回転させ、更に主動ギヤ４９が従動ギヤ４８と伝動軸４７とによりセクタベベルギヤ５４と主動プーリ４６とを連動させて回転させ、更に主動プーリ４６と、従動プーリ４１と、主動軸４０とにより回転盤３９を連動させて回転させ、セクタベベルギヤ５４が順方向ベベルギヤ５５又は逆方向ベベルギヤ５１と、内軸５３と、内リール４４と、内ひも１４とにより内菱形水晶１５を連動させて上下にスライドさせ、同時に、回転盤３９がコンロッド３８により往復ラック３７を連動させて左右にスライドさせ、更に往復ギヤ３６と、スライドチャンバ３４と、主動ベベルギヤ３３と、従動ベベルギヤ３１と、外軸３０と、外リール２９と、外ひも１２とにより外菱形水晶１３を連動させて上下にスライドさせ、同時に、発光器１８が通電して発光し、光線が光線管１７により屈折器１６の中に入り、屈折器１６が光線を屈折させ、また内菱形水晶１５と外菱形水晶１３に入射させ、再び光線を屈折させる。
【００２１】
本発明の有益効果は：本発明は構成が簡単で、操作が便利で、メインテナンスが便利であり、該設備が何度も光線を屈折させることができ、星空が回転している雰囲気をもたらし、設計の美観を向上させ、そのため該設備は比較的に高い使用価値と普及価値を有する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。